(57)【要約】【課題】２つの横並びの軒先瓦の継目に形成される雀口を完全に閉塞でき、施工し易い軒先面戸を提供すること。【解決手段】  横断面が横ガイド片４と縦ガイド片５からなる略Ｌ字形の長尺な薄板からなるガイド部材２と、該ガイド部材２にガイドされながら長手方向に摺動自在な薄板からなる移動面戸部材３とからなる軒先面戸１であって、前記移動面戸部材３は、前記横ガイド片４の上面を摺動する移動横板６と、この移動横板６を折り曲げて前記縦ガイド片５に沿って移動し、且つその先端縁が２つの横並びの軒先瓦の継ぎ目に形成される空間形状に近似した略山型に形成した面戸板８と、を具備したことにある。【選択図】  図１
2007270554.tif 000002
【特許請求の範囲】
【請求項１】
横断面が横ガイド片と縦ガイド片からなる略Ｌ字形の長尺な薄板からなるガイド部材と、該ガイド部材にガイドされながら長手方向に摺動自在な薄板からなる移動面戸部材とからなる軒先面戸であって、
前記移動面戸部材は、前記横ガイド片の上面を摺動する移動横板と、
この移動横板を折り曲げて前記縦ガイド片に沿って移動し、且つその先端縁が２つの横並びの軒先瓦の継ぎ目に形成される空間形状に近似した略山型に形成した面戸板と、
を具備してなる軒先面戸。
【請求項２】
前記面戸板がその先端縁から下方向へ複数の切目を刻むことにより複数の切片を形成したことを特徴とする請求項１の軒先面戸。
【請求項３】
前記面戸板が前記横ガイド片と離反する方向へ付勢されていることを特徴とする請求項１又は２に記載の軒先面戸。
【請求項４】
前記面戸板の下方部が２枚重ねに形成されていることを特徴とする請求項１乃至３に記載の軒先面戸。
【請求項５】
前記移動横板の先端縁が前記横ガイド片の端部を嵌合する嵌合溝を具備してなることを特徴とする請求項１乃至４に記載の軒先面戸。
【請求項６】
前記移動横板に止穴を形成したことを特徴とする請求項１又は５に記載の軒先面戸。
【発明の詳細な説明】
【技術分野】
【０００１】
この発明は、瓦葺き屋根の軒先の２つの横並びの軒先瓦の継ぎ目に形成される雀口と一般に称される空間を塞ぐ軒先面戸に関する。
【背景技術】
【０００２】
雀口はその名の通り、雀などの小動物や虫類などが出入する出入口となるために、衛生上或いは屋根の耐久性上等の観点から好ましくなく、これを閉塞する必要があるために、従来から軒先面戸が提案されている。
その主なものに、下記特許文献１に示す軒面戸がある。この軒面戸は、最も軒先側にある端桟材に固定される長尺で縦方向に突出した嵌入部を有する端桟固定板と、この端桟固定板の嵌入部を収納する嵌入溝を下方に形成した略山型形状を有する雀口閉塞板とから構成される。この軒面戸によると、端桟材に固定している端桟固定板の嵌入部に収納している嵌入溝の位置が自在にスライドできることによって、雀口閉塞板の略山型形状が雀口と一致しない時には、雀口閉塞板を嵌入部の長手方向にスライドさせて合わせることができる。これによって、軒面戸の取付け作業が容易に行える。
【特許文献１】実開昭６０−６１３１７号公報
【発明の開示】
【発明が解決しようとする課題】
【０００３】
しかしながら、上記の従来技術によると、２つの横並びの軒先瓦の継ぎ目に形成される雀口の形状に合致するように雀口閉塞板の略山型形状が形成されてはいるものの、雀口閉塞板はその下方にある嵌入溝によって端桟固定板の表側に面した嵌入部のみで支えられているために、物が衝突した時の衝撃に弱く、又、火災時においては高熱に直接に触れることから火災発生から早い時間で融けて雀口を開放することとなり、十分なる防災機能をも具備していないという問題点がある。又、雀口閉塞板が端桟材に固定し難いので、強風などによって位置ずれが生じ易いという問題点がある。更に又、雀口閉塞板と雀口が一致しなく、雀口を塞ぐことができないという問題点がある。
【課題を解決するための手段】
【０００４】
この発明は上記事情に鑑み、雀口をほぼ確実に閉塞し、しかも物が衝突したり火災による炎でも、容易に移動や破損したり融けることがない耐久性のある軒先面戸を得ることを目的としてなされたものであって、その手段とするところは、請求項１においては、横断面が横ガイド片と縦ガイド片からなる略Ｌ字形の長尺な薄板からなるガイド部材と、該ガイド部材にガイドされながら長手方向に摺動自在な薄板からなる移動面戸部材とからなる軒先面戸であって、前記移動面戸部材は、前記横ガイド片の上面を摺動する移動横板と、この移動横板を折り曲げて前記縦ガイド片に沿って移動し、且つその先端縁が２つの横並びの軒先瓦の継ぎ目に形成される空間形状に近似した略山型に形成した面戸板と、を具備してなる軒先面戸としたことにある。
【０００５】
請求項２においては、前記面戸板がその先端縁から下方向へ複数の切目を刻むことにより複数の切片を形成したことを特徴とする請求項１の軒先面戸。
【０００６】
請求項３においては、前記面戸板が前記横ガイド片と離反する方向へ付勢されていることを特徴とする請求項１又は２に記載の軒先面戸。
【０００７】
請求項４においては、前記面戸板の下方部が２枚重ねに形成されていることを特徴とする請求項１乃至３に記載の軒先面戸。
【０００８】
請求項５においては、前記移動横板の先端縁が前記横ガイド片の端部を嵌合する嵌合溝を具備してなることを特徴とする請求項１乃至４に記載の軒先面戸。
【０００９】
請求項６においては、前記移動横板に止穴を形成したことを特徴とする請求項１又は５に記載の軒先面戸。
【発明の効果】
【００１０】
請求項１の手段によると、移動面戸部材はガイド部材の横ガイド片の上面を移動しつつガイドされながらスライドするので、安定してスムースに移動でき、取付作業が楽になる利点がある。又、移動面戸部材の移動横板とガイド部材の横ガイド片は重なっているので、移動横板の上方から針打ちによって一度に瓦座に固定できる利点がある。
【００１１】
請求項２の手段によると、切目によって切片がされているので、面戸板の先端縁が曲り易く、その結果、軒先瓦を押え付けるだけで、軒先瓦と面戸板の先端縁の間の空間を塞ぐことができる。
【００１２】
請求項３の手段によると、面戸板の先端縁を軒先瓦の裏面で押し付けると面戸板が横ガイド板方向へ容易に下ると同時に、常に上方へ付勢されているので、軒先瓦の裏面と先端縁の間の隙間を塞ぐことができる。
【００１３】
請求項４の手段によると、面戸板の下方部が２枚重ねに形成されているので、風力等に対する抵抗力が強い軒先面戸となる利点がある。
【００１４】
請求項５の手段によると、移動横板の先端縁が横ガイド片の端部を嵌合する嵌合溝を具備しているので、より確実にガイドされると共に、横ガイド片と移動横板の一体固定が確実なものとなる。
【００１５】
請求項６の手段によると、移動面戸板の移動横板に止穴を形成してあるので、釘打ち箇所が容易に判ると共に、移動横板を貫通させる必要がないので、その分だけ釘止作業が楽になる利点がある。
【発明を実施するための最良の形態】
【００１６】
この発明の最良の第１の実施形態を以下図１乃至図６に基づいて説明する。この実施形態の軒先面戸１は、図１、図２、図５等に示すように、建物の屋根を構成する野地板Ａの上方を固定し且つ軒先瓦Ｂを係止する横桟のうちの最も軒先側にある瓦座Ｃに固定するガイド部材２と、このガイド部材２にスライド自在な移動面戸部材３とからなる。これらガイド部２と移動面戸部材３は耐火性のある薄金属板が最も好ましいが、耐火性あるいは難燃性の合成樹脂成形品も好適に使用される。
【００１７】
前記ガイド部２は、図２にとくに良く現れているように、横断面が略Ｌ字形になるように折り曲げて横ガイド片４と縦ガイド片５を有する長尺な部材である。又、図３や図５に示すように、固定する瓦座Ｃが直角に形成されている場合にはＬ字形の角度が略９０°となるが、図６に示すように、瓦座Ｃが三角形に場合にはこれに対応するように折り曲げ角度を小さ目に変えて使用される。横方向の長さは、特に限定されるものではないが、長すぎると持ち運びが困難となると共に作業能率も低下するので、通常は１．０乃至２．５ｍの範囲の長さのものが選択される。横ガイド片４と縦ガイド片５の幅は、瓦座Ｃの上面及び側面の幅よりも短くして取り付けし易くしているが、防火性能を向上させるためには、瓦座Ｃの上面及び側面を全て覆う長さの幅とするのが好ましい。又、これら部材の肉厚は釘を打ち込んで貫通できる程度の厚さである。
【００１８】
前記移動面戸部材３は、前記ガイド部材２の横ガイド片４の端縁でガイドされながらその上面を摺動する移動横板６と、縦ガイド片５の外面を摺動する移動縦板７と、この移動縦板７に固定されて前記移動横板６の上方へ突出している面戸板８から構成されている。前記移動横板６の端縁は折り曲げられて前記横ガイド片４の端縁をスライド自在に嵌合する嵌合溝９が形成されている。更に、ガイド部材２の所定位置でこの移動面戸部材３を瓦座Ｃに釘止めするための止穴１０が移動横板６に設けられている。この止穴１０の形成位置は、図１、図２に示すように、長手方向の両端付近に２つ形成するのが施工上好ましい。止穴１０の形状は横長を示しているが、丸穴でも他方向への長穴であってもよい。又、前記嵌合溝９を形成した端縁と反対側は折り曲げられて前記縦ガイド片５の外面を摺動する前記移動縦板７となっている。これによって、移動横板６はその両側を横ガイド片４によって屋根の上下方向への動きを規制されているので、強風などの外部要因による力が発生しても安全なようになっている。更に、この移動縦板７の端部側を１８０°折り曲げて形成された前記面戸板８の先端は、前記移動横板６より上方へ突出して先端縁１１が形成されている。この先端縁１１は、屋根の野地板Ａ上の前記瓦座Ｃに載置された隣接する２つの横並びの軒先瓦Ｂの継ぎ目に形成される雀口の空間形状に近似した略山型に形成されると共に必要に応じてこの先端縁１１から移動縦板７の下方向へ複数の切目１２によって切片１３が多数形成されている。
【００１９】
このような先端縁１１を形成した面戸板８は、移動横板６、移動縦板７を形成する同じ一枚の薄板を折り曲げ加工して、その下方部を移動縦板７に固定した状態としてもよいが、別の薄板を成型加工したものを移動縦板７に溶接その他の手段によって固定して面戸板８としたものであってもよい。又、折り曲げて形成する場合であっても移動縦板７の外面と面戸板８との間を接着剤その他の手段を用いて固定しておくと、面戸板８の支持強度が増すことからも望ましい。
【００２０】
上記構成からなるこの発明の軒先面戸１を使用するには、図１、図３に示すように、まず、ガイド部材２に移動面戸部材３を取付けておく。この取り付は、ガイド部材２の横ガイド片４の端部に移動面戸部材３の移動横板６の端縁に形成している嵌合溝９を嵌め込み、ガイド部材２の縦ガイド片５の外面に移動縦板７又は面戸板８の内面が当接するようにして、長手方向にスライド自在に嵌め込む。嵌め込む移動面戸部材３の個数は、ガイド部材２や移動面戸部材３の長さにも影響するが、３乃至６個程度が作業能率上好ましい。そして、隣り合う移動面戸部材３間に多少の隙間が生じるようにして、長手方向への移動調節自在としておくのが望ましい。
【００２１】
このような準備が整ってから、軒先面戸１のガイド部材２を瓦座Ｃに仮載置する。そして、軒先瓦Ｂを瓦座Ｃに一方側から順に横方向に敷設してゆくが、この時、一枚目の軒先瓦Ｂを瓦座Ｃに敷設し終えると、その１枚目の軒先瓦Ｂの裏面に略山型に形成している先端縁１１の片方の傾斜部が接するように移動面戸部材３をスライド部材２に対してスライドさせてから、止穴１０に釘１４を入れて打ち込み、移動横板６、横スライド片４を瓦座Ｃに固定する。このとき、止穴１０は横スライド片６の長手方向両側に形成すれば、いずれか一方の止穴１０が軒先瓦Ｂの下方に隠れても、他方の止穴１０を使用できるので作業能率上好ましい。そして、次の横並びに隣接する２枚目の軒先瓦Ｂを敷設するが、この軒先瓦Ｂの裏面には前記先端縁１１のもう一方の片方の傾斜部が接することになる。もし、軒先瓦Ｂが先端縁１１に当って瓦座Ｃから浮くようであれば、軒先瓦Ｂの上面を下方へ押圧すれば、面戸板８の先端縁１１の切片１３が短く刻まれていて曲り易くなっているので、軒先瓦Ｂに見合った形状にそれぞれの切片１３が変形して、容易に調整可能となっている。切片１３が形成されていない時には、先端縁１１を全体に低く形成しておくのが望ましい。
【００２２】
このような作業を更に横方向へ順次連続してゆくことによって、２つの横並びの軒先瓦Ｂの継ぎ目の間に形成される空間すなわち雀口が面戸板８によって閉塞されることになるのである。１つのガイド部材２に取り付けられた移動面戸部材３を全て使用し終えると、これに連続して次の新たな軒先面戸１を瓦座Ｃに固定してゆく作業を繰返し行うこととなる。
【００２３】
以上のように、この発明の軒先面戸１によると、屋根瓦の敷設作業に伴なって順次雀口の空間を閉塞してゆくことができるのである。
【００２４】
次に、図７に基づいて、この発明の第２の実施形態について説明する。前記第１の実施形態と異なるところは、移動面戸部材３の移動横板６の端縁を折り曲げて瓦座Ｃの棟側側面へ係止する折曲片１４を形成した点である。この折曲片１４と移動縦板７によって移動面戸部材３は瓦座Ｃを挟むようにしてスライドするので安定する利点がある。
【００２５】
更に、第８図に基づいて、この発明の第３の実施形態について説明する。前記第１の実施形態と異なるところは、移動面戸部材３の移動横板６の端縁を横ガイド片４の端縁を折り曲げて形成した溝１５の中へ挿入してスライド自在に支持し、移動横板６の軒先側を直角に上方へ折り曲げて面戸板８を形成すると共に、この面戸板８の軒先側面を倒れないようにガイド部材２の横ガイド板４の軒先側を上方へ直角に折り曲げて移動背面板１６を形成し、更にこの移動背面板１６を折り曲げて瓦座Ｃの側面に密着する覆面１７を形成したものである。この移動背面板１６と溝１５によって移動横板６の両側が規制されるので、移動面戸部材３はスムーズにスライドする。
【００２６】
次に、図９及び図１０に基づいて、この発明の第４の実施形態について説明する。この第４の実施形態が第１の実施形態と異なるところは、移動面戸部材３の移動横板６の面戸板８側がガイド部材２の横ガイド板４から離反する方向に付勢されている点である。この付勢力は移動横板６に弾力性のある材質のものを使用して、横ガイド板４から離反する方向へ所定の角度をもたせて折り曲げておくだけでよい。このようにすることによって、隣接する２つの軒先瓦Ｂの間に形成される雀口の形状より面戸板８が大きくて合致しない時には、上方から押え付けることによって付勢力に抗して面戸板８及び移動横板６が下降して図１０のように移動横板６が横ガイド板４に接近して合致させることができる。又、面戸板８が常時上方へ付勢されているので、面戸板８の先端縁１１が軒先瓦Ｂの裏面と密着するので、小動物の侵入や空気や火災時における炎の侵入を有効に防止できる。面戸板８を上方へ付勢するのは上記手段に限定することなく、例えば、移動横板６と横ガイド板４の間にクッション材を介在させるなどの他の手段によるものであってもよい。
【００２７】
尚、図１１、１２は軒先瓦Ｂの形状によって、隣接する２つの軒先瓦Ｂが形成する雀口の形状が変化するのでそれに合致させるような面戸板８やその先端縁１１の形状としたものの例である。又、軒先瓦Ｂは和瓦のみならず洋瓦にも適用可能である。
【産業上の利用可能性】
【００２８】
この発明の軒先面戸はとくに和瓦を使用する屋根構造には全て有効に使用できるので、多くの需要が見込まれ、従って、この軒先面戸を製造する産業と共に、製造した軒先面戸を販売及び運送する産業が栄える。
【図面の簡単な説明】
【００２９】
【図１】この発明の第１の実施形態の全体斜視図。
【図２】図１の分解斜視図。
【図３】図１のＸ−Ｘ線拡大断面図。
【図４】軒先面戸の使用状態の正面図。
【図５】図４のＹ−Ｙ線拡大断面図。
【図６】図４の他の実施形態のＹ−Ｙ線拡大断面図。
【図７】この発明の第２の実施形態の拡大断面図。
【図８】この発明の第３の実施形態の拡大断面図。
【図９】この発明の第４の実施形態の拡大断面図。
【図１０】この発明の第４の実施形態の作動説明拡大断面図。
【図１１】面戸板の他の実施形態図。
【図１２】面戸板の他の実施形態図。
【符号の説明】
【００３０】
１    軒先面戸
２    ガイド部材  
３    移動面戸部材
４    横ガイド片
５    縦ガイド片
６    移動横板
７    移動縦板
８    面戸板
９    嵌合溝
１０  止穴
１１  先端縁
【図１】
2007270554.tif 000003
【図２】
2007270554.tif 000004
【図３】
2007270554.tif 000005
【図４】
2007270554.tif 000006
【図５】
2007270554.tif 000007
【図６】
2007270554.tif 000008
【図７】
2007270554.tif 000009
【図８】
2007270554.tif 000010
【図９】
2007270554.tif 000011
【図１０】
2007270554.tif 000012
【図１１】
2007270554.tif 000013
【図１２】
2007270554.tif 000014